(57)【特許請求の範囲】
【請求項１】
遊技球が流下する遊技領域が前面側に形成された遊技盤に、遊技領域を流下する遊技球が入賞可能な入賞口を開閉する開閉部材を備えた入賞装置が配設され、前記開閉部材は、前後方向に延在する回動軸を介して回動自在に構成されると共に、駆動手段を作動することで遊技領域からの入賞口への遊技球の入球が阻止される閉鎖位置から遊技領域からの入賞口への遊技球の入球が許容される開放位置まで変位するよう構成された遊技機において、
前記入賞装置は、
前記駆動手段により前後方向に往復移動される作動部材と、
左右方向に延在する揺動軸を介して前記入賞装置の本体に揺動自在に枢支されると共に前記開閉部材および作動部材に連繋され、該作動部材の往復移動に連動して開閉部材を開閉するよう揺動する揺動部材とを備え、
前記作動部材に、前後方向に延在する連繋孔が形成され、
前記揺動部材は、前記作動部材の連繋孔に挿通される係合突部と、該係合突部の前側に設けた賞球確認位置規制片とを備え、
前記駆動手段の非作動時には、前記係合突部が連繋孔の前端に係脱自在に係止して前記開閉部材が閉鎖位置に位置すると共に、該駆動手段の作動に伴い作動部材が後方に移動することで、前記揺動部材が揺動されて、該開閉部材を開放位置に変位させるよう構成され、
前記駆動手段の非作動時には、前記賞球確認位置規制片が前記作動部材から離間するよう構成され、前記開閉部材が開放する方向へ変位された際に、前記係合突部が前記連繋孔の前端から後方へ離脱して、賞球確認位置規制片が作動部材に当接するまで開閉部材を開放させる方向への前記揺動部材の揺動が許容されて、該開閉部材が閉鎖位置と開放位置との間の賞球確認位置まで変位するよう構成され、
前記開閉部材が賞球確認位置に位置した際に、前記遊技盤における開閉部材の上方に設けた入球阻止部材が上方からの入賞口への遊技球の入球を阻止すると共に、該開閉部材の先端部と入球阻止部材の側方端縁部との間に、遊技球略１球分の開口寸法で斜め下方に開放する賞球確認用開口部が画成される
ことを特徴とする遊技機。
【請求項２】
遊技球が流下する遊技領域が前面側に形成された遊技盤に、遊技領域を流下する遊技球が入賞可能な入賞口を開閉する開閉部材を備えた入賞装置が配設され、前記開閉部材は、前後方向に延在する回動軸を介して回動自在に構成されると共に、駆動手段を作動することで遊技領域からの入賞口への遊技球の入球が阻止される閉鎖位置から遊技領域からの入賞口への遊技球の入球が許容される開放位置まで変位するよう構成された遊技機において、
前記入賞装置は、
前記駆動手段により前後方向に往復移動される作動部材と、
左右方向に延在する揺動軸を介して前記入賞装置の本体に揺動自在に枢支されると共に前記開閉部材および作動部材に連繋され、該作動部材の往復移動に連動して開閉部材を開閉するよう揺動する揺動部材とを備え、
前記揺動部材は、前記開閉部材に連繋するアーム部材と、前記遊技盤に対して左右方向に延在すると共に、少なくとも左右何れか一方の端部がアーム部材に連結した連結部材と、該連結部材における他方の端部側に設けた被当接部とを備え、
前記駆動手段の非作動時には、前記作動部材が前記被当接部に当接して、前記開閉部材が閉鎖位置に位置すると共に、該駆動手段の作動に伴い作動部材が後方に移動することで、前記揺動部材が揺動されて、該開閉部材を開放位置に変位させるよう構成され、
前記駆動手段の非作動時には、前記開閉部材が開放する方向に変位された際に、前記連結部材およびアーム部材が弾性変形して、該開閉部材が閉鎖位置と開放位置との間の賞球確認位置まで変位するよう構成され、
前記開閉部材が賞球確認位置に位置した際に、前記遊技盤における開閉部材の上方に設けた入球阻止部材が上方からの入賞口への遊技球の入球を阻止すると共に、該開閉部材の先端部と入球阻止部材の側方端縁部との間に、遊技球略１球分の開口寸法で斜め下方に開放する賞球確認用開口部が画成される
ことを特徴とする遊技機。
【請求項３】
遊技球が流下する遊技領域が前面側に形成された遊技盤に、遊技領域を流下する遊技球が入賞可能な入賞口を開閉する開閉部材を備えた入賞装置が配設され、前記開閉部材は、前後方向に延在する回動軸を介して回動自在に構成されると共に、駆動手段を作動することで遊技領域からの入賞口への遊技球の入球が阻止される閉鎖位置から遊技領域からの入賞口への遊技球の入球が許容される開放位置まで変位するよう構成された遊技機において、
前記入賞装置は、前記駆動手段により往復移動される作動部材と、
左右方向に延在する揺動軸を介して前記入賞装置の本体に揺動自在に枢支されると共に前記開閉部材および作動部材に連繋され、該作動部材の往復移動に連動して開閉部材を開閉するよう揺動する揺動部材とを備え、
前記揺動部材は、前記開閉部材に連繋するアーム部材と、前記遊技盤に対して左右方向に延在すると共に、少なくとも左右何れか一方の端部がアーム部材に連結した連結部材とからなり、
前記連結部材は、左右方向に延在する第１連結部および該第１連結部の後側に位置して左右方向に延在する第２連結部から構成され、
前記第１連結部には、被当接部が設けられると共に、該被当接部から前記連結部材の一方の端部までの間で切断された切断部が形成され、
前記駆動手段の非作動時には、前記作動部材が前記被当接部に当接して前記開閉部材が閉鎖位置に位置すると共に、該駆動手段の作動に伴い作動部材が後方に移動することで、該作動部材が第２連結部に係合して揺動部材が揺動されて、該開閉部材を開放位置に変位させるよう構成され、
前記駆動手段の非作動時には、前記開閉部材が開放する方向へ変位された際に、前記第２連結部およびアーム部材が弾性変形して、該開閉部材が閉鎖位置と開放位置との間の賞球確認位置まで変位するよう構成され、
前記開閉部材が賞球確認位置に位置した際に、前記遊技盤における開閉部材の上方に設けた入球阻止部材が上方からの入賞口への遊技球の入球を阻止すると共に、該開閉部材の先端部と入球阻止部材の側方端縁部との間に遊技球略１球分の開口寸法で斜め下方に開放する賞球確認用開口部が画成される
ことを特徴とする遊技機。
【発明の詳細な説明】
【技術分野】
【０００１】
この発明は、遊技盤に設置された開閉部材が開閉することで、遊技球の入賞を制御する入賞装置を備えた遊技機に関するものである。
【背景技術】
【０００２】
代表的な遊技機であるパチンコ式遊技機は、機内にセットされる遊技盤の遊技領域に、各種図柄を変動および停止表示することで図柄変動ゲームを行なう液晶式やドラム式等の図柄表示装置が配設され、該図柄表示装置の下方位置に、図柄表示装置での図柄変動ゲームを開始させる契機となる始動入賞装置(入賞装置)が配設されている。そして、前記遊技領域を流下する遊技球(パチンコ球)が、前記始動入賞装置に１箇所あるいは上下の位置関係で２箇所に設けた入賞口に入賞することで、図柄表示装置での図柄変動ゲームを開始させると共に、少数の遊技球を賞球として払出すよう構成されている。
【０００３】
前記入賞装置は、羽根とよばれる一対の開閉部材を開閉自在に備え、該開閉部材が開閉作動することで、遊技球の入賞口への入賞を制御するものが一般的である。この種の入賞装置は、常には、開閉部材が閉状態となって遊技球の入賞が阻止されると共に、所定条件のもとで駆動手段が開閉部材を開放作動して、遊技球の入賞口への入賞を許容するようになっている。
【０００４】
ところで、このような入賞装置に対し、遊技機の隙間から遊技領域内へ侵入させた針金等で前記開閉部材を強制的に開放し、遊技球を入賞させる不正行為(所謂、ゴト行為)が近年多発しており問題となっている。そこで、このような不正行為に対処するものとして、例えば、特許文献１に示す入賞装置が提案されている。特許文献１の入賞装置は、開閉部材の閉鎖時に、該開閉部材の駆動源であるソレノイド以外の外力が開閉部材に加えられた場合には、該開閉部材に設けられた操作子がソレノイドのプランジャに当接規制されて、開閉部材の強制変位が阻止されるようになっている。
【特許文献１】特開２００３−３４００２０号公報
【発明の開示】
【発明が解決しようとする課題】
【０００５】
このように、特許文献１に示す入賞装置は、ソレノイドのプランジャに前記操作子が当接規制されることで、ソレノイドの非作動時における開閉部材の開放を完全に不能とし得る。ところが、遊技機の検査工程で実施される入賞装置の賞球確認作業においては、ソレノイドの非作動時に開閉部材を開放させて遊技球を入賞させる必要がある。しかるに、特許文献１の如く開閉部材の強制変位を全く不能にしてしまうと、賞球確認をするには、開閉部材の上部に設けた貫通孔を介して遊技球を入賞させる他なく、作業が非常に非効率となってしまう。また、遊技機の機種によっては、前記貫通孔が遊技釘等で塞がれて、開閉部材の開放時にのみ入賞を許容する構成が採用されており、このような場合、賞球確認ができなくなる畏れがある。
【０００６】
そこで本発明は、従来の遊技機に内在する前記問題に鑑み、これを好適に解決するべく提案されたものであって、開閉部材の強制変位による遊技球の不正な入賞を阻止し得ると共に、賞球確認作業も効率的に行ない得る入賞装置を備えた遊技機を提供することを目的とする。
【課題を解決するための手段】
【０００７】
前記課題を克服し、所期の目的を達成するため、本願の請求項１に係る遊技機は、
遊技球(S)が流下する遊技領域(14)が前面側に形成された遊技盤(10)に、遊技領域(14)を流下する遊技球(S)が入賞可能な入賞口(40)を開閉する開閉部材(102,105)を備えた入賞装置(112)が配設され、前記開閉部材(102,105)は、前後方向に延在する回動軸(34,34)を介して回動自在に構成されると共に、駆動手段(44)を作動することで遊技領域(14)からの入賞口(40)への遊技球(S)の入球が阻止される閉鎖位置から遊技領域(14)からの入賞口(40)への遊技球(S)の入球が許容される開放位置まで変位するよう構成された遊技機において、
前記入賞装置(112)は、
前記駆動手段(80)により前後方向に往復移動される作動部材(114)と、
左右方向に延在する揺動軸(50a,50a)を介して前記入賞装置(112)の本体(32)に揺動自在に枢支されると共に前記開閉部材(102,105)および作動部材(114)に連繋され、該作動部材(114)の往復移動に連動して開閉部材(102,105)を開閉するよう揺動する揺動部材(118)とを備え、
前記作動部材(114)に、前後方向に延在する連繋孔(116)が形成され、
前記揺動部材(118)は、前記作動部材(114)の連繋孔(116)に挿通される係合突部(122)と、該係合突部(122)の前側に設けた賞球確認位置規制片(126)とを備え、
前記駆動手段(80)の非作動時には、前記係合突部(122)が連繋孔(116)の前端に係脱自在に係止して前記開閉部材(102,105)が閉鎖位置に位置すると共に、該駆動手段(80)の作動に伴い作動部材(114)が後方に移動することで、前記揺動部材(118)が揺動されて、該開閉部材(102,105)を開放位置に変位させるよう構成され、
前記駆動手段(80)の非作動時には、前記賞球確認位置規制片(126)が前記作動部材(114)から離間するよう構成され、前記開閉部材(102,105)が開放する方向へ変位された際に、前記係合突部(122)が前記連繋孔(116)の前端から後方へ離脱して、賞球確認位置規制片(126)が作動部材(114)に当接するまで開閉部材(102,105)を開放させる方向への前記揺動部材(118)の揺動が許容されて、該開閉部材(102,105)が閉鎖位置と開放位置との間の賞球確認位置まで変位するよう構成され、
前記開閉部材(102,105)が賞球確認位置に位置した際に、前記遊技盤(10)における開閉部材(102,105)の上方に設けた入球阻止部材(108,108,110)が上方からの入賞口(40)への遊技球(S)の入球を阻止すると共に、該開閉部材(102,105)の先端部(102a,105a)と入球阻止部材(108,108,110)の側方端縁部(108a,108a)との間に、遊技球(S)略１球分の開口寸法で斜め下方に開放する賞球確認用開口部(72)が画成されるようにしたことを特徴とする。
請求項１の発明によれば、開閉部材を強制変位することで、遊技領域側からの遊技球の入賞口への入球を許容する賞球確認用開口部が画成されるので、賞球確認の作業性を向上し得る。また、賞球確認用開口部は、遊技球略１球分の開口寸法で斜め下方に開口するに止まるので、遊技中のゴト行為により開閉部材が強制変位されたとしても、賞球確認用開口部を介して遊技球を入球させるのは極めて困難で、遊技球の不正獲得は殆ど不可能にし得る。
【０００８】
前記課題を克服し、所期の目的を達成するため、本願の請求項２に係る遊技機は、
遊技球(S)が流下する遊技領域(14)が前面側に形成された遊技盤(10)に、遊技領域(14)を流下する遊技球(S)が入賞可能な入賞口(40)を開閉する開閉部材(24)を備えた入賞装置(22)が配設され、前記開閉部材(24)は、前後方向に延在する回動軸(34)を介して回動自在に構成されると共に、駆動手段(44)を作動することで遊技領域(14)からの入賞口(40)への遊技球(S)の入球が阻止される閉鎖位置から遊技領域(14)からの入賞口(40)への遊技球(S)の入球が許容される開放位置まで変位するよう構成された遊技機において、
前記入賞装置(22)は、
前記駆動手段(44)により前後方向に往復移動される作動部材(46,48)と、
左右方向に延在する揺動軸(50a,50a)を介して前記入賞装置(22)の本体(32)に揺動自在に枢支されると共に前記開閉部材(24)および作動部材(48)に連繋され、該作動部材(46,48)の往復移動に連動して開閉部材(24)を開閉するよう揺動する揺動部材(50)とを備え、
前記揺動部材(50)は、前記開閉部材(24)に連繋するアーム部材(58)と、前記遊技盤(10)に対して左右方向に延在すると共に、少なくとも左右何れか一方の端部(62a)がアーム部材(58)に連結した連結部材(62)と、該連結部材(62)における他方の端部(62b)側に設けた被当接部(56)とを備え、
前記駆動手段(44)の非作動時には、前記作動部材(46,48)が前記被当接部(56)に当接して、前記開閉部材(24)が閉鎖位置に位置すると共に、該駆動手段(44)の作動に伴い作動部材(46,48)が後方に移動することで、前記揺動部材(50)が揺動されて、該開閉部材(24)を開放位置に変位させるよう構成され、
前記駆動手段(44)の非作動時には、前記開閉部材(24)が開放する方向に変位された際に、前記連結部材(62)およびアーム部材(58)が弾性変形して、該開閉部材(24)が閉鎖位置と開放位置との間の賞球確認位置まで変位するよう構成され、
前記開閉部材(24)が賞球確認位置に位置した際に、前記遊技盤(10)における開閉部材(24)の上方に設けた入球阻止部材(130,132)が上方からの入賞口(40)への遊技球(S)の入球を阻止すると共に、該開閉部材(24)の先端部(24a)と入球阻止部材(130,132)の側方端縁部(132)との間に、遊技球(S)略１球分の開口寸法で斜め下方に開放する賞球確認用開口部(72)が画成されることを特徴とする。
請求項２の発明によれば、開閉部材を強制変位することで、遊技領域側からの遊技球の入賞口への入球を許容する賞球確認用開口部が画成されるので、賞球確認の作業性を向上し得る。また、賞球確認用開口部は、遊技球略１球分の開口寸法で斜め下方に開口するに止まるので、遊技中のゴト行為により開閉部材が強制変位されたとしても、賞球確認用開口部を介して遊技球を入球させるのは極めて困難で、遊技球の不正獲得は殆ど不可能にし得る。また、連結部材は、被当接部を連結部材の一端側に偏倚して設けるだけで弾性変形可能に構成されるので、新たな部材を必要とせず製品コストが高騰することがない。
【０００９】
前記課題を克服し、所期の目的を達成するため、本願の請求項３に係る遊技機は、
遊技球(S)が流下する遊技領域(14)が前面側に形成された遊技盤(10)に、遊技領域(14)を流下する遊技球(S)が入賞可能な入賞口(40)を開閉する開閉部材(24)を備えた入賞装置(80)が配設され、前記開閉部材(24)は、前後方向に延在する回動軸(34)を介して回動自在に構成されると共に、駆動手段(44)を作動することで遊技領域(14)からの入賞口(40)への遊技球(S)の入球が阻止される閉鎖位置から遊技領域(14)からの入賞口(40)への遊技球(S)の入球が許容される開放位置まで変位するよう構成された遊技機において、
前記入賞装置(80)は、前記駆動手段(44)により往復移動される作動部材(46)と、
左右方向に延在する揺動軸(50a,50a)を介して前記入賞装置(80)の本体(32)に揺動自在に枢支されると共に前記開閉部材(24)および作動部材(46)に連繋され、該作動部材(46)の往復移動に連動して開閉部材(24)を開閉するよう揺動する揺動部材(81)とを備え、
前記揺動部材(81)は、前記開閉部材(24)に連繋するアーム部材(58)と、前記遊技盤(10)に対して左右方向に延在すると共に、少なくとも左右何れか一方の端部(82a)がアーム部材(58)に連結した連結部材(82)とからなり、
前記連結部材(82)は、左右方向に延在する第１連結部(84)および該第１連結部(84)の後側に位置して左右方向に延在する第２連結部(86)から構成され、
前記第１連結部(84)には、被当接部(88)が設けられると共に、該被当接部(88)から前記連結部材(82)の一方の端部(82a)までの間で切断された切断部(90)が形成され、
前記駆動手段(44)の非作動時には、前記作動部材(46)が前記被当接部(88)に当接して前記開閉部材(24)が閉鎖位置に位置すると共に、該駆動手段(44)の作動に伴い作動部材(46)が後方に移動することで、該作動部材(46)が第２連結部(86)に係合して揺動部材(81)が揺動されて、該開閉部材(24)を開放位置に変位させるよう構成され、
前記駆動手段(44)の非作動時には、前記開閉部材(24)が開放する方向へ変位された際に、前記第２連結部(86)およびアーム部材(58)が弾性変形して、該開閉部材(24)が閉鎖位置と開放位置との間の賞球確認位置まで変位するよう構成され、
前記開閉部材(24)が賞球確認位置に位置した際に、前記遊技盤(10)における開閉部材(24)の上方に設けた入球阻止部材(130,132)が上方からの入賞口(40)への遊技球(S)の入球を阻止すると共に、該開閉部材(24)の先端部(24a)と入球阻止部材(130,132)の側方端縁部(132)との間に遊技球(S)略１球分の開口寸法で斜め下方に開放する賞球確認用開口部(72)が画成されることを特徴とする。
請求項３の発明によれば、開閉部材を強制変位することで、遊技領域側からの遊技球の入賞口への入球を許容する賞球確認用開口部が画成されるので、賞球確認の作業性を向上し得る。また、賞球確認用開口部は、遊技球略１球分の開口寸法で斜め下方に開口するに止まるので、遊技中のゴト行為により開閉部材が強制変位されたとしても、賞球確認用開口部を介して遊技球を入球させるのは極めて困難で、遊技球の不正獲得は殆ど不可能にし得る。また、前述した特許文献１に示す如き従来の入賞装置に対し、第１連結部を切断すると云った簡単な構成で連結部材を弾性変形可能に構成することができる。従って、新たな部材等を設けたり、複雑な加工を施したりする必要がなく、従来の入賞装置を応用することができるので、製造コストを低廉に抑えることができる。
【発明の効果】
【００１０】
本発明に係る遊技機によれば、検査工程における賞球確認作業を効率的に行ない得ると共に、遊技球の不正な入賞を抑制し得る。
【発明を実施するための最良の形態】
【００１１】
次に、本発明に係る遊技機につき、好適な実施例を挙げて、添付図面を参照しながら、以下詳細に説明する。なお実施例では、遊技球を使用して遊技を行なう遊技機について説明する。また、以下の説明において前・後および左・右とは、特に断りのない限り、図１に示すように遊技機の遊技盤を正面側から見た場合において指称するものとする。
【実施例１】
【００１２】
図１は、実施例１に係る遊技機に設けられる遊技盤１０の正面図を示す。実施例の遊技盤１０は、略矩形状に形成されて、その前面側に略円形状に湾曲するレール１２が取付けられており、該レール１２により画成される遊技領域１４に、図示しない発射装置によって遊技球Ｓを打出すようになっている。前記遊技盤１０の前側は、遊技機の前面に開閉自在に設けられるガラス枠の保護ガラス(何れも図示せず)により覆われるようになっている。遊技領域１４の略中央位置には、各種の特別図柄を変動して特別図柄変動ゲームを行なう液晶式やドラム式等の特別図柄表示装置１６を備えた装飾部材(センター役物)１８が配設されている。なお、遊技盤１０に打ち込まれた遊技球Ｓは、装飾部材１８の内部を流下するものと、該装飾部材１８の左右両外側の遊技領域１４を流下するものとに分かれて遊技に供される。
【００１３】
装飾部材１８の右側部には、上下に所定間隔離間して複数(４つ)の設置部２０が並んで設けられ、夫々の設置部２０には、後述する入賞装置２２の開閉部材２４が開閉自在に設けられている。なお、実施例１に係る遊技機においては、最上位の設置部２０に技術的特徴が具現されている。従って、特に断る場合を除き、入賞装置２２と呼ぶ場合には、最上位の設置部２０に設けられた入賞装置２２を指すこととする。
【００１４】
図２に示すように、最上位の設置部２０の上方には、装飾部材１８の上方右側部から右方へ延出する略三角形状の飾り板１３４が設けられ、該設置部２０および飾り板１３４の間に右方へ開放した空間が画成されている。そして、前記飾り板１３４における設置部２０に臨む側の領域が、入球阻止部材としての第１阻止部１３０を構成している。更に、遊技領域１４における第１阻止部１３０に近接する位置に、入球阻止部材としての遊技釘(第２阻止部１３２)が植設されている(図２参照)。すなわち、実施例１では、第１および第２阻止部１３０,１３２により、遊技球Ｓの上方からの入賞口(後述)４０への入球を阻止する入球阻止部材を構成している。従って、入球阻止部材の側方端縁部とは、実施例１の場合、第２阻止部１３２が相当する。なお、前記装飾部材１８の右側部であって、前記開閉部材２４の左側の領域を前面から覆う部位は、遊技球Ｓの前側からの入賞を阻止する前側規制部２８として機能している。更に、前記遊技領域１４における装飾部材１８に近接する箇所には、流下する遊技球Ｓを入賞装置２２へ向けて案内する案内経路３０が複数の遊技釘Ｔによって形成されている。
【００１５】
図３および図４に示すように、入賞装置２２は、設置部２０に臨む単一の開閉部材２４と、遊技盤１０より裏側に配設されるユニット状の本体３２とから構成される。開閉部材２４は、上方に向かって徐々に薄肉となる所謂フラップ状に形成されている。また、開閉部材２４の下部前面には、前方に突出するボス部３４が設けられ、該ボス部３４が、前記前側規制部２８の裏側に設けられた図示しない支持部に回転自在に嵌挿されている。一方、開閉部材２４の下部裏面には、後方へ向けて突出する突起部３６が設けられている。そして、開閉部材２４は、その先端部(端部)２４ａを上方に指向させた閉鎖位置(図２(ａ)の２点鎖線参照)から、該先端部２４ａを斜め右上方を指向させた開放位置(図２(ａ)の実線参照)まで変位可能に構成される。なお、閉鎖位置に臨む開閉部材２４は、先端部２４ａが装飾部材１８に設けられた突起１８ａに当接して位置決めされる。
【００１６】
ここで、前記閉鎖位置における開閉部材２４は、先端部２４ａが前記第１阻止部１３０に近接し、該先端部２４ａおよび第１阻止部１３０の最近接距離が遊技球Ｓの直径よりも小さくなるよう設定される。従って、開閉部材２４が閉鎖位置に臨む状態では、前記遊技領域１４の案内経路３０を介して遊技球Ｓが入賞装置２２に入賞するのは完全に阻止される。また、閉鎖位置の開閉部材２４、第１阻止部１３０および前側規制部２８によって囲まれる領域(以後、閉鎖位置開口４２という,図２(ａ)参照)は、遊技球Ｓの前側からの入球を阻止する寸法になっている。従って、開閉部材２４が閉鎖位置にあっては、遊技機のガラス枠を開放させたとしても、前記閉鎖位置開口４２を介して遊技球Ｓを前側から入賞させる賞球確認は不能とされる。
【００１７】
一方、開放位置での開閉部材２４は、前記先端部２４ａが入球阻止部材の側方端である第２阻止部１３２よりも右方(遊技領域１４側)へ突出した状態となり、該先端部２４ａは、第２阻止部１３２に対し遊技球Ｓの直径よりも大きく離間し、前記案内経路３０からの遊技球Ｓの入賞を許容する。なお、開放位置の開閉部材２４は、先端部２４ａが前記案内経路３０の延長線上に臨み、該案内経路３０により誘導された遊技球Ｓを開閉部材２４で受けるようになっている。
【００１８】
図４に示すように、入賞装置２２の本体３２は、矩形箱体状に形成されて１つのユニットを構成しており、該本体３２の内部に、ソレノイド(駆動手段)４４と、該ソレノイド４４により前後方向に往復駆動されるプランジャ(作動部材)４６と、該プランジャ４６に連繋して同じく前後に往復移動するリンク部(作動部材)４８と、該リンク部４８と開閉部材２４とに連繋されてリンク部４８の往復動作作に連動して開閉部材２４を開閉作動させる揺動部材５０とが設けられている。また、本体３２の前面側に入賞口４０が画成され、該入賞口４０から後方に球通路６６が延在している。更に、この球通路６６の後端に球通孔部６８が開設され、該球通孔部６８を介して遊技球Ｓを下方へ流下させて遊技球Ｓを入賞装置２２の外部へ排出するようになっている。なお、本体３２には、遊技球Ｓを検出する球検出センサ７０が、その通孔部を前記球通孔部６８に整合するよう配設されている。
【００１９】
前記プランジャ４６は、前端部に円盤状の係合板４６ａが設けられると共に、該係合板４６ａとソレノイド４４との間にはバネ等の弾性部材５２が介装されている。前記ソレノイド４４に通電していない非励磁状態(非作動時)においてプランジャ４６は、弾性部材５２の弾性力により前方へ付勢された状態となる。また、ソレノイド４４が通電された励磁状態(作動時)にあっては、前記プランジャ４６は、弾性部材５２の弾性力に抗して後方に引き込まれる。前記リンク部４８は、前後方向に延在する薄板状の部材であって、その後端が前記プランジャ４６の係合板４６ａに係合すると共に、前端が前記揺動部材５０に連繋しており、プランジャ４６と共に前後動するよう構成される。リンク部４８の前側には、揺動部材５０と連繋するための連繋孔５４が開設されると共に、ソレノイド４４が非励磁状態にあるときに、揺動部材５０の被当接部５６(後述)に当接する当接部６４が前方へ延出するよう形成されている。
【００２０】
前記揺動部材５０は、僅かに弾性変形し得る一対のアーム部材５８,６０と、両アーム部材５８,６０を後部で連結するアーチ状の連結部材６２とから構成される。アーム部材５８,６０は、その前端が上下の二股状に形成されており、右側のアーム部材５８の前端に前記開閉部材２４の突起部３６の後端が突入係合するよう構成される。また、両アーム部材５８,６０の相互に離間する側面に、揺動軸５０ａ,５０ａが外側に向けて突設されており、該揺動軸５０ａ,５０ａを前記本体３２の内壁部に設けた支持部３２ａ,３２ａに挿通することで、揺動部材５０は本体３２に揺動自在に配設されている。なお、以下の説明では、開閉部材２４に連結する右側のアーム部材５８を第１アーム部材、左側のアーム部材６０を第２アーム部材と指称する。
【００２１】
前記連結部材６２は、幅方向に所定長さで延在するよう形成されて、弾性変形可能となっている。連結部材６２は、一方の端部(図３では右側の端部)６２ａに第１アーム部材５８の後端が、他方の端部(図３では左側の端部)６２ｂに第２アーム部材６０の後端が夫々連結されている。また、連結部材６２における左側の端部６２ｂには、前記リンク部４８の連繋孔５４と係合する係合突部７４が上方に向けて突出成形され、該係合突部７４が連繋孔５４に臨むことでリンク部４８と揺動部材５０との連繋がなされている。すなわち、揺動部材５０は、前記リンク部４８に対して第２アーム部材６０側に偏らせて連繋されている。
【００２２】
前記連結部材６２における左側の端部６２ａであって、係合突部７４の前方に位置する部位に、上方へ突出する被当接部５６が設けられている。この被当接部５６は、ソレノイド４４が非励磁状態にあるときに、リンク部４８の前記当接部６４と当接し、揺動部材５０の揺動が規制されるようになっている(図３(ａ)参照)。また、ソレノイド４４の励磁状態においては、前記リンク部４８が後方へスライドすることで、前記当接部６４および被当接部５６の当接が解除されると共に、前記連繋孔５４に係合した係合突部７４が後方へ引っ張られることで、揺動部材５０が開放方向へ揺動するようになっている(図３(ｂ)参照)。
【００２３】
ここで、前記ソレノイド４４の非励磁状態にあって、開閉部材２４を強制的に開放方向へ変位(以後、強制変位という)させると、前記連結部材６２と第１アーム部材５８とが弾性変形して、該開閉部材２４の強制変位を許容するようになっている。すなわち、リンク部４８によって揺動部材５０が規制される位置(すなわち、被当接部５６の形成位置)を、前記連結部材６２の左方へ偏らせて設けると共に、連結部材６２および第１アーム部材５８を弾性変形可能に構成することで、連結部材６２および第１アーム部材５８が開閉部材２４の強制変位許容手段として機能している。
【００２４】
ここで、連結部材６２および第１アーム部材５８の弾性変形量は、開閉部材２４が、閉鎖位置と開放位置との間に設定された遊技球Ｓの賞球確認を行ない得る賞球確認位置まで変位し得る値となっている。この賞球確認位置とは、図２(ｂ)に示すように、開閉部材２４の先端部２４ａが前記第２阻止部１３２の鉛直下方または第２阻止部１３２よりも装飾部材１８側に臨む位置である。そして、開閉部材２４が賞球確認位置まで開放した際に、該開閉部材２４の先端部２４ａと第２阻止部１３２とにより、遊技球Ｓ略１球分の開口寸法で、かつ遊技盤１０に対し側方に開放して遊技領域１４側からの遊技球Ｓの入賞口４０への入球を許容する賞球確認用開口部７２が画成されるようになっている。すなわち、この賞球確認用開口部７２は、遊技球Ｓの直径よりも僅かに大きな開口寸法で、かつ、その開口方向が遊技盤１０に対し水平もしくは斜め下方に指向している(図２(ｂ)の矢印(斜め下方を指向)参照)。これにより、賞球確認用開口部７２を介して、遊技球Ｓの遊技領域１４側からの入賞が許容され、賞球確認を行ない得るようになっている。なお、強制変位許容手段の弾性変形量は、連結部材６２や第１アーム部材５８を形成する素材の弾性率や、前記被当接部５６の位置等を適宜調整することで変更することが可能である。
【００２５】
(実施例の作用)
次に、実施例に係る入賞装置２２の作用につき説明する。なお、遊技機の通常の遊技状態において、前記ソレノイド４４は非励磁状態とされ、開閉部材２４は閉鎖位置に保持されている。
【００２６】
遊技盤１０に設けたレール１２に沿って遊技領域１４に打出された遊技球Ｓは、遊技釘等に接触して流下方向をランダムに変更させながら遊技領域１４や装飾部材１８の内部を流下する。遊技球Ｓの一部は、前記案内経路３０によって入賞装置２２へ向けて流下するものの、閉鎖位置にある開閉部材２４によって、該遊技球Ｓの入賞は阻止される(図２(ａ)参照)。所定条件のもと、遊技機が特別遊技状態となると、前記ソレノイド４４に通電がなされ、入賞装置２２が開放作動する。すなわち、前記ソレノイド４４が励磁状態となると、弾性部材５２の弾力に抗してプランジャ４６が引き込まれ、前記リンク部４８が後方へスライドする。すると、前記係合突部７４の前端が連繋孔５４によって後方へ押圧されると共に、該リンク部４８の当接部６４と前記被当接部５６との当接が解除される。更にリンク部４８が後方スライドすることで、前記揺動部材５０は前記揺動軸５０ａを中心に開放方向へ揺動される。
【００２７】
これに伴い、前記第１,第２アーム部材５８,６０の先端が上昇すると共に開閉部材２４の突起部３６が持ち上げられ、該開閉部材２４が開放位置まで開放する。これより、図２(ａ)に示すように、前記開閉部材２４が開放位置まで変位して、遊技球Ｓの入賞装置２２への入賞が許容される。入賞口４０から入賞装置２２内へ遊技球Ｓが入ると、該遊技球Ｓは前記球通路６６を後方へ転動し、前記球通孔部６８を介して下方へ流下する。このとき、前記球検出センサ７０が遊技球Ｓを検出し、この検出信号を受けた所要の球払出機構から所定数(例えば、３,４個)の賞球が払い出される。
【００２８】
前記特別遊技状態が終了すると、前記ソレノイド４４への通電が停止される。すると、弾性部材５２が弾性復帰してプランジャ４６が前方へ引き出され、これに伴い前記リンク部４８が前方へスライドする。すると、係合突部７４が連繋孔５４によって押し出され、揺動部材５０が閉鎖方向に揺動し、開閉部材２４が閉鎖位置に復帰する。すると、前記リンク部４８の当接部６４が被当接部５６に当接し、揺動部材５０の揺動が阻止される(図３(ａ))。開閉部材２４が閉鎖位置に復帰すると、該開閉部材２４の先端部２４ａが上方規制部２６に近接して、遊技球Ｓの遊技領域１４側からの入賞が阻止される。
【００２９】
次に、遊技機の検査工程で実施される入賞装置２２の賞球確認をする場合について説明する。賞球確認に際しては、前記ソレノイド４４を非励磁状態としたもとで、遊技機のガラス枠を開放し、開閉部材２４を手指で強制的に変位させて行なわれる。すると、前記強制変位許容手段としての連結部材６２および第１アーム部材５８が弾性変形し、開閉部材２４の強制変位が許容される。これより、図２(ｂ)に示すように、賞球確認位置に強制変位された開閉部材２４の先端部２４ａと前記第２阻止部１３２との間に賞球確認用開口部７２が画成され、該賞球確認用開口部７２を介して遊技球Ｓを遊技領域１４側から入賞口４０に入球させることができる。なお、実施例１では、開閉部材２４が賞球確認位置となった際に、前記賞球確認用開口部７２とは別に、開閉部材２４、第１阻止部１３０および前側規制部２８により前側に開放する開口部が画成されるようになっている。従って、この開口部を介して、遊技球Ｓの賞球確認を行なうことも可能となる。
【００３０】
一方、遊技中において、ゴト行為が行なわれたとしても、実施例に係る入賞装置２２においては、遊技球Ｓの不正獲得は殆ど不能とされる。例えば、遊技機の球皿等に画成される間隙から前記遊技領域１４内へ針金等を侵入させ、開閉部材２４を強制的に変位させて遊技球Ｓを不正に入賞させることが考えられる。しかるに、このような開閉部材２４の不正な強制変位が行なわれたとしても、開閉部材２４が許容される強制変位量は、前記賞球確認位置までに設定されている。前述の如く、賞球確認用開口部７２の開口方向は、遊技盤１０に対し水平または斜め下方に設定され、案内経路３０で案内される遊技球Ｓの流下方向とは交差する関係にある。従って、賞球確認用開口部７２が遊技球１球分の開口寸法と云えども、遊技領域１４を流下する遊技球Ｓが現実に賞球確認用開口部７２を通過することは殆どあり得ず、遊技球Ｓの不正獲得を防止し得る。(図２(ｂ)参照)。なお、開閉部材２４が賞球確認位置となったときに、開閉部材２４、第１阻止部１３０および前側規制部２８により前側に開放する開口部が画成される。しかるに、ガラス枠により前側が覆われた遊技中にあっては、この開口部を介して遊技球Ｓを入賞させることは不可能である。
【００３１】
以上に示したように、実施例１に係る遊技機では、入賞装置２２のリンク部４８による揺動部材５０の規制位置を左側に偏らせて、連結部材６２および第１アーム部材５８を強制変位許容手段として機能させたので、開閉部材２４を賞球確認位置まで強制変位させることができる。従って、賞球確認用開口部７２を介して遊技領域１４側(側方)から遊技球Ｓを入賞させることができ、遊技機の検査工程で実施される入賞装置２２の賞球確認を効率的に行なうことができる。しかも、開閉部材２４は賞球確認位置までしか変位しないので、遊技領域１４側からの遊技球Ｓの入賞は殆ど不能とされ、遊技球Ｓの不正獲得を抑制し得る。また、強制変位許容手段は、揺動部材５０の規制位置を偏らせるといった簡単な構成で実現されるので、新たな部材や材質変更等を必要とせず製造コストを低廉に抑えることができる。
【実施例２】
【００３２】
次に、実施例２に係る遊技機について説明を行なう。なお、実施例２では、実施例１と相違する部分についてのみ説明を行ない、実施例１と同一の構成については、同じ符号を付して説明を省略する。
【００３３】
図５〜図７は、実施例２に係る遊技機に実装された入賞装置８０を示す概略説明図であって、該入賞装置８０は、ソレノイド４４により進退駆動されるプランジャ(作動部材)４６の係合板４６ａが、直接、揺動部材８１に当接係合することで、該揺動部材８１の作動を制御するようになっている。実施例２に係る揺動部材８１は、図７に示すように、第１,第２アーム部材５８,６０と、両アーム部材５８,６０を連結する前方の第１連結部８４および後方の第２連結部８６からなる連結部材８２とにより構成されている。
【００３４】
アーチ状に成形された前記第１連結部８４には、その幅方向中央に被当接部８８が形成されており、図６(ａ)に示すように、ソレノイド４４の非励磁状態においてプランジャ４６の係合板４６ａが該被当接部８８の上面に当接して、揺動部材８１の揺動を規制するようになっている。また図６(ｂ)に示すように、前記ソレノイド４４を励磁してプランジャ４６が後退すると、前記係合板４６ａと被当接部８８との係合が解除され、揺動部材８１の揺動が許容される。なお、前記被当接部８８の上面は、揺動部材８１がプランジャ４６によって規制された姿勢において、該プランジャ４６のスライド方向に対して平行になるよう設定される。更に、被当接部８８の上面後端部は下方に向けて湾曲形成され、前記プランジャ４６の前後の進退移動時に干渉しないよう設定される。図７に示すように、前記第１連結部８４は、前記被当接部８８の第１アーム部材５８側にズレた部位で切断され、切欠９０が形成されている。すなわち、前記切欠９０は、第１連結部８４における前記被当接部８８から第１アーム部材５８との連繋部である右側の端部８２ａまでの間に形成されている。
【００３５】
第２連結部８６は、前記第１連結部８４と同様にアーチ状に形成されており、弾性変形可能に構成されている。第２連結部８６の幅方向中央部位に被係合部９２が設けられ、前記ソレノイド４４を励磁してプランジャ４６が後退した際に係合板４６ａと係合するようになっている(図６(ｂ)参照)。これより、被係合部９２がプランジャ４６により引っ張られ、揺動部材８１が開放方向へ揺動されるようになっている。
【００３６】
ここで、前記ソレノイド４４の非励磁状態にあって、開閉部材２４を強制変位させると、第２連結部８６および第１アーム部材５８が弾性変形するよう構成される。すなわち、第１連結部８４に切欠９０を設けることで、前記開閉部材２４を強制変位した際に、前記第２連結部８６および第１アーム部材５８が賞球確認許容手段として機能し、開閉部材２４の賞球確認位置までの変位量に対応する量だけ弾性変形するようになっている。これより、実施例１と同様に、賞球確認位置まで変位した開閉部材２４の先端部２４ａと、第２阻止部１３２との間に賞球確認用開口部７２が画成される(図２(ｂ)参照)。
【００３７】
(実施例２の作用)
次に、実施例２に係る入賞装置８０の作用につき説明する。前記ソレノイド４４が励磁状態となると、弾性部材５２の弾力に抗してプランジャ４６が引き込まれ、前記第１連結部８４の被当接部８８とプランジャ４６の係合板４６ａとの係合が解除される。このとき、図６(ａ)に示すように、前記被当接部８８は、プランジャ４６のスライド方向と平行になるよう設定されているので、該被当接部８８が係合板４６ａに干渉することはない。しかも、前記被当接部８８の上面後端部は下方へ湾曲した形状とされているので、プランジャ４６はスムーズに被当接部８８から離脱し得る。そして、係合板４６ａが前記第２連結部８６の被係合部９２に係合して該被係合部９２を後方へ引っ張り、前記揺動部材８１が開放方向へ揺動する(図６(ｂ)参照)。これにより前記第１,第２アーム部材５８,６０が上昇して開閉部材２４が開放位置まで変位し、遊技球Ｓの入賞が許容される(図２(ａ)参照)。
【００３８】
前記ソレノイド４４への通電が停止されると、弾性部材５２の弾性復帰によりプランジャ４６が前方へ引き出され、該プランジャ４６の係合板４６ａが第１連結部８４を押圧する。すると、揺動部材８１が閉鎖方向に揺動し、開閉部材２４が閉鎖位置まで変位する。そして、開閉部材２４が閉鎖位置に到来すると、前記プランジャ４６の係合板４６ａが第１連結部８４の被当接部８８に当接し、該揺動部材８１の揺動が規制される。すなわち、開閉部材２４が閉鎖位置に保持されて、遊技球Ｓの入賞装置８０への入賞が阻止される(図２(ａ)の２点鎖線参照)。
【００３９】
次に、賞球確認を行なうに際しては、ソレノイド４４を非励磁状態としたもとで、遊技盤１０のガラス枠を開放し、開閉部材２４を手指で強制変位させる。すると、第１連結部８４は、被当接部８８から右側の端部８２ａまでの間で切断されているので、前記第１アーム部材５８を押し上げようとする負荷が第２連結部８６に加えられ、該第２連結部８６が第１アーム部材５８と共に弾性変形する。これにより、開閉部材２４を賞球確認位置まで変位させることができ、前記賞球確認用開口部７２を介して遊技球Ｓを遊技領域１４側から入賞装置８０に入賞させることができる。
【００４０】
以上に示したように、実施例２に係る遊技機に設けられた入賞装置８０は、第１連結部８４における被当接部８８から右側の端部８２ａまでの間で切断したので、第２連結部８６および第１アーム部材５８が強制変位許容手段として機能し、開閉部材２４を賞球確認位置まで強制変位させることが可能となる。従って、遊技球Ｓの側方からの入賞を許容する賞球確認用開口部７２が画成されて、賞球確認を効率的に行なうことができる。しかも開閉部材２４の強制変位量は、賞球確認位置までに設定されているので、遊技中における不正な遊技球Ｓの入賞を殆ど防止し得る。また、実施例２によれば、第１連結部８４を切断すると云った簡単な構成で、開閉部材２４の強制変位が許容されるので、新たな部材等を設けたり、複雑な加工を施したりする必要がない。従って、従来の入賞装置を応用することができ、製造コストを低廉に抑えることができる。
【００４１】
なお、実施例１および２では、入球阻止部材として第１阻止部１３０および第２阻止部１３２から構成したが、入球阻止部材を一体の部材から構成してもよい。この場合、入球阻止部材の遊技領域１４側に臨む端縁部が側方端縁部として機能する。また、実施例１および２では、図２に示すように、閉鎖位置にある開閉部材２４の側方に前側規制部２８が位置しており、該前側規制部２８が開閉部材２４の前方を覆う(開閉部材２４が前側規制部２８の後方へ入り込む)ことはなかった。しかしながら、前側規制部２８をより遊技領域１４側へ拡張して、閉鎖位置にある開閉部材２４の先端部２４ａや側部(図２では左側部)を覆う構成としてもよい。これにより、閉鎖位置の開閉部材２４に対して不正器具等を引っ掛け難くなり、開閉部材２４の不正開放を更に抑制し得る。
【００４２】
また実施例１および２は、右側の第１アーム部材５８に開閉部材２４を設けた場合を示したが、左側の第２アーム部材６０に開閉部材２４を設けるようにしてもよい。この場合、実施例１においては、リンク部４８と揺動部材５０とが連繋する部位を第１アーム部材５８側(右側の端部６２ａ側)に偏らせることで、左側に設けた開閉部材２４の強制変位が許容される。また、実施例２における、左側の第２アーム部材６０に開閉部材２４を連結する場合は、前記切欠９０を第１連結部８４における被当接部８８の左側に設ければよい。なお、実施例１および２では、揺動部材５０がアーム部材５８,６０を２つ有する場合を示したが、開閉部材２４が設けられない側の第２アーム部材６０については省略することができる。
【実施例３】
【００４３】
次に、実施例３に係る遊技機について説明を行なう。実施例３においても、実施例１と相違する部分についてのみ説明を行ない、実施例１と同一の構成については、同じ符号を付して説明を省略する。
【００４４】
実施例１および２では、開閉部材２４が賞球確認位置となった場合に、賞球確認用開口部７２を介しての遊技球Ｓの入賞に加えて、開閉部材２４、前側規制部２８および第１阻止部１３０により画成される開口部を介して前側からの入賞も可能とされていた。しかしながら、例えば、遊技盤１０のデザイン上の都合により、装飾部材等により開閉部材２４が前側から覆われて、遊技者から開閉部材２４が殆ど視認し得ないようにした態様の遊技機も考えられる。すなわち、図１２に示すように、実施例３に係る遊技機では、第１阻止部１３０から設置部２０へ掛けて一体成型された前側規制部２９が、開閉部材２４の前側の略全体を覆った状態となっている。従って、開閉部材２４を賞球確認位置に強制変位させたとしても、実施例１,２で説明したような、遊技球Ｓの前側からの入球を許容する開口部が画成されないようになっている。
【００４５】
しかるに、実施例３にあっても開閉部材２４を賞球確認位置まで強制変位させることで、開閉部材２４の先端部２４ａと第２阻止部１３２とにより賞球確認用開口部７２が画成されるようになっている。従って、賞球確認をする際には、賞球確認用開口部７２を介して遊技球Ｓを入賞させることができる。換言すれば、実施例３の如く、前側規制部２８によって開閉部材２４の前方側が覆われた態様であっても、賞球確認用開口部７２を介しての入賞は許容され、賞球確認作業を好適に実行することが可能となる。なお、図１２の二点鎖線で示すように、閉鎖位置の開閉部材２４は、前記前側規制部２８によって前方が完全に覆われており、不正器具等によって開閉部材２４を引っ掛け難くなっている。また、実施例３で使用される入賞装置の構造については、実施例１または２の入賞装置２２,８０の何れの構成であっても採用可能である。
【００４６】
(変更例１)
次に、変更例１に係る遊技機について、以下説明を行なう。変更例１においても、実施例１〜３と相違する箇所のみ説明することとし、同一の部材については同じ符号を付して説明を省略する。実施例１〜３では、単一の開閉部材２４を備えた入賞装置２２,８０を備えた遊技機を示したが、第１,第２アーム部材５８,６０の夫々に開閉部材２４を設けてもよい。例えば、図８に示すように、入賞装置として、図柄表示装置１６の図柄変動の契機となる始動入賞装置を採用し、２つの開閉部材１０２,１０４を有するチューリップ型のものを採用することができる。具体的には、実施例１で示した構造を適用する場合、第１アーム部材５８に第１開閉部材１０２が、第２アーム部材６０に第２開閉部材１０４が夫々連繋される。これにより、実施例１の場合と同様に、第１開閉部材１０２のみ強制変位が許容される。一方、第２開閉部材１０４を強制変位したとしても、連結部材６２は、前記リンク部４８によって第２アーム部材６０に近い被当接部５６が直接規制されるので、連結部材６２は殆ど弾性変形することがなく、第２開閉部材１０４の強制変位量は僅かに抑えられる。
【００４７】
同様に、実施例２で示した入賞装置８０に第１,第２開閉部材１０２,１０４を設けた場合も、第１開閉部材１０２のみ強制変位が許容される。第２開閉部材１０４に関しては、プランジャ４６の係合板４６ａによる第１連結部８４の規制により第２連結部８６の弾性変形が阻止され、第２開閉部材１０４の強制変位は殆ど不能となる。
【００４８】
また、図８に示すように、変更例１の遊技盤１０に設けられ、上方からの遊技球Ｓの入賞口４０への入賞を阻止する入球阻止部材は、以下のような構成となっている。すなわち、入球阻止部材は、始動入賞装置の上方に設けられる上方規制部１１０と、該上方規制部１１０の右側にのみ設けられる片側規制部１０８とから構成されている。また、変更例１では、第１,第２開閉部材１０２,１０４の下側を前方から覆う前方規制部１１１が設けられている。前記上方規制部１１０は、閉鎖位置とした第１,第２開閉部材１０２,１０４の先端部１０２ａ,１０４ａに近接するよう遊技盤１０に設けられている。また、前記前方規制部１１１と上方規制部１１０の離間距離は、遊技球Ｓの直径よりも小さく設定されている。一方、片側規制部１０８の配設位置は、第１開閉部材１０２が開放位置となったときの先端部１０２ａが、片側規制部１０８の側方端縁部１０８ａから遊技球Ｓの直径よりも大きく離間する位置に設定される。
【００４９】
更に、片側規制部１０８は、第１開閉部材１０２が賞球確認位置まで変位したときに、該第１開閉部材１０２の先端部１０２ａと片側規制部１０８の側方端縁部１０８ａとにより賞球確認用開口部７２が画成されるようになっている。この賞球確認用開口部７２は、実施例１および２の場合と同様に、遊技球Ｓの直径よりも僅かに大きな開口寸法に設定されると共に、その開口方向は、遊技盤１０に対し水平または斜め下方に設定される(図８の矢印参照)。従って、第１開閉部材１０２を賞球確認位置まで強制変位させることで、賞球確認を容易に行ない得ると共に、ゴト行為による遊技球Ｓの不正獲得は殆ど防止することができる。なお、変更例１の場合も、第１開閉部材１０２を強制変位させたときに、遊技球Ｓの前側からの入賞を許容する開口部が、第１開閉部材１０２、上方規制部１１０、前方規制部１１１および片側規制部１０８により画成される。従って、賞球確認する際には、前記賞球確認用開口部７２に加えて、この開口部を介しても遊技球Ｓを入賞し得る。また、第２開閉部材１０４の強制変位は不能とされているので、第２開閉部材１０４の上方(上方規制部１１０の左側)に片側規制部１０８を設ける必要はない。
【００５０】
(変更例２)
次に、変更例２に係る遊技機について、以下説明を行なう。変更例２の場合も、実施例１〜３および変更例１と相違する箇所のみ説明することとし、同一の部材については、同じ符号を付して説明を省略することとする。変更例１では、２つの開閉部材１０２,１０４のうち、一方の開閉部材(第１開閉部材１０２)のみ強制変位が許容される構成とされていた。これに対し、変更例２では、２つの開閉部材を強制変位可能に構成されている。具体的には、図９に示す如き構造が採用される。すなわち、始動入賞装置１１２は、ソレノイド４４に進退駆動されるプランジャ４６の係合板４６ａに、該プランジャ４６と共に前後方向へスライドするリンク部１１４が設けられる。このリンク部１１４に前後方向に延在する連繋孔１１６が開設され、連結部材１２０の中央部に突設した係合突部１２２が該連繋孔１１６に挿通した状態で揺動部材１１８がリンク部１１４に連繋している。連結部材１２０は、第１,第２アーム部材５８,６０を幅方向に直線的に連結しており、殆ど弾性変形しない材質から構成されている。また連結部材１２０には、一段下がって幅方向に延在する平板部１２４が設けられ、該平板部１２４の幅方向中央部に、上方へ突出する賞球確認位置規制片１２６が設けられている。
【００５１】
始動入賞装置１１２において、ソレノイド４４の非励磁状態にあっては、図１０(ａ)に示すように、前記係合突部１２２が連繋孔１１６の前端に係止した状態となって揺動部材１１８の揺動が規制され、第１,第２開閉部材１０２,１０５は閉鎖位置に保持される。このとき、前記賞球確認位置規制片１２６は、リンク部１１４の下面から所定間隔離間している。一方、ソレノイド４４が励磁されると、前記連繋孔１１６により係合突部１２２が後方へ引っ張られ、揺動部材１１８が開放方向へ揺動する。これにより、第１,第２開閉部材１０２,１０５が開放位置まで変位し、遊技球Ｓの入賞が許容される(図１０(ｂ)参照)。このとき、前記賞球確認位置規制片１２６は、リンク部１１４の前側に臨むようになっている。
【００５２】
更に、ソレノイド４４の非励磁状態にあって、前記第１,第２開閉部材１０２,１０５の何れかを強制変位すると、賞球確認位置規制片１２６がリンク部１１４に当接するまで揺動部材１１８を開放方向へ揺動することができる。すなわち、賞球確認位置規制片１２６とリンク部１１４との離間距離は、第１,第２開閉部材１０２,１０５の賞球確認位置までの変位量に対応するよう設定され、この賞球確認位置規制片１２６が強制変位許容手段として機能する。なお、変更例２に係る構成にあっては、例えば、第１開閉部材１０２を強制変位させた場合、第２開閉部材１０５も賞球確認位置まで自動的に変位するようになっている。
【００５３】
上記の如く、第１,第２開閉部材１０２,１０５の強制変位を許容する構成を採用した場合、ゴト行為による不正な遊技球Ｓの獲得を抑制するべく、変更例１で示した片側規制部１０８を第２開閉部材１０５の上方にも設ける必要がある(図１１参照)。そして、強制変位させた第１,第２開閉部材１０２,１０５の先端部１０２ａ,１０５ａおよび２つの片側規制部１０８,１０８の側方端縁部１０８ａ,１０８ａにより２つの賞球確認用開口部７２,７２が画成される。このように、変更例２に係る構成にあっても、変更例１と同様に、第１,第２開閉部材１０２,１０５の強制変位時にあって、遊技球Ｓの不正獲得を殆ど防止し得ると共に、賞球確認については、賞球確認用開口部７２,７２を介して遊技球Ｓの入賞を容易に行なうことができる。しかも、変更例２においては、第１,第２開閉部材１０２,１０５の何れも強制変位可能としたので、賞球確認時に２つの賞球確認用開口部７２,７２が画成されて、確認作業の効率性を更に向上することができる。
【００５４】
なお、実施例や変更例では、開閉部材を作動する駆動源としてソレノイド４４を採用したが、駆動手段としてはソレノイド４４に限定されず、モータとラック−ピニオンの組合わせ等、従来公知の各種の手段を採用できる。
【図面の簡単な説明】
【００５５】
【図１】実施例１に係る遊技機の遊技盤を示す正面図である。
【図２】遊技盤の要部拡大図であって、(ａ)は開閉部材が開放位置にある状態を示し、(ｂ)は開閉部材を強制開放させた状態を示す。
【図３】入賞装置を示す斜視図であって、(ａ)は開閉部材が閉鎖位置にある状態を示し、(ｂ)は開閉部材が開放位置にある状態を示す。
【図４】入賞装置を示す横断平面図である。
【図５】実施例２に係る遊技機に使用される入賞装置を示す平面図である。
【図６】実施例２の入賞装置の作用を示す概略説明図であって、(ａ)は開閉部材が閉鎖位置にある状態を示し、(ｂ)は開閉部材が開放位置にある状態を示す。
【図７】実施例２の揺動部材を示す平面図である。
【図８】変更例１に係る遊技機における遊技盤の要部拡大図である。
【図９】変更例２における入賞装置の斜視図である。
【図１０】変更例２における入賞装置の作用を示す概略説明図であって、(ａ)は揺動部材が閉鎖位置にある状態を示し、(ｂ)は揺動部材が開放位置にある状態を示し、(ｃ)は開閉部材を強制変位させた場合の揺動部材の姿勢を示す。
【図１１】変更例２における遊技盤の要部拡大図である。
【図１２】実施例３に係る遊技機の開閉部材を強制開放させた状態を示す要部拡大図である。
【符号の説明】
【００５６】
１０ 遊技盤，１４ 遊技領域，２２,８０ 入賞装置，２４ 開閉部材
２４ａ,１０２ａ,１０５ａ 先端部，３２ 本体，３４ ボス部(回動軸)
４０ 入賞口，４４ ソレノイド(駆動手段)，４６ プランジャ(作動部材)
４８ リンク部(作動部材)，５０,８１ 揺動部材，５０ａ 揺動軸
５６,８８ 被当接部，５８ 第１アーム部材(アーム部材)
６２ 連結部材，６２ａ,８２ａ 一方の端部，６２ｂ 他方の端部
７２ 賞球確認用開口部，８４ 第１連結部，８６ 第２連結部
９０ 切欠(切断部)，１０２ 第１開閉部材(開閉部材)
１０５ 第２開閉部材(開閉部材)，１０８ 片側規制部(入球阻止部材)
１０８ａ 側方端縁部，１１０ 上方規制部(入球阻止部材)
１１１ 前方規制部(入球阻止部材)，１１２ 始動入賞装置(入賞装置)
１１６ 連繋孔，１２２ 係合突部，１２６ 賞球確認位置規制片
１３０ 第１阻止部(入球阻止部材)
１３２ 第２阻止部(側方端縁部,入球阻止部材)，Ｓ 遊技球
【図１】
0004864824.tif 000002
【図２】
0004864824.tif 000003
【図３】
0004864824.tif 000004
【図４】
0004864824.tif 000005
【図５】
0004864824.tif 000006
【図６】
0004864824.tif 000007
【図７】
0004864824.tif 000008
【図８】
0004864824.tif 000009
【図９】
0004864824.tif 000010
【図１０】
0004864824.tif 000011
【図１１】
0004864824.tif 000012
【図１２】
0004864824.tif 000013